(57)【特許請求の範囲】
【請求項１】
窓枠（１）に固定した上下一対のヒンジ（３）で揺動開閉自在に支持した窓（２）を換気開放位置において回動不能にロック保持する開量調整器において、
窓（２）の窓下枠と窓枠（１）との間に配置されて、窓枠（１）に固定されるケース（４）と、窓（２）の窓下枠に埋設固定したガイド枠（２２）で往復スライド自在に支持されて、窓（２）と牽制アーム（６）の揺動軌跡のずれを吸収するスライダー（５）とを備えており、
スライダー（５）のケース部（２４）に、ガイド枠（２２）の溝底との摩擦抵抗でスライダー（５）のスライド動作を規制する制動ユニット（２５）が設けられており、
牽制アーム（６）の基端側がケース（４）に設けた軸（１３）で揺動自在に軸支され、
牽制アーム（６）の揺動先端がスライダー（５）に相対揺動自在に連結されており、
ケース（４）で左右スライド自在に案内支持されて、牽制アーム（６）を換気開放位置においてロック保持するロック体（７）と、
ロック体（７）を牽制アーム（６）とロック係合する向きにスライド付勢するばね（８）と、
一端がロック体（７）に固定され、他端の操作つまみ（１９）が窓下枠より室内側に露出するロック解除操作用のノブ（９）とを備えており、
牽制アーム（６）の基端にアーム中心軸に対して所定角度だけ傾くロック突起（２０）が突設され、ロック体（７）の側端にロック突起（２０）と嵌係合して牽制アーム（６）の回動を阻止するロック凹部（１６）が切り欠き形成してあり、
窓（２）を換気開放位置でのみ開閉不能にロック保持できる揺動窓用の開量調整器。
【請求項２】
制動ユニット（２５）が、スライダー（５）に設けたケース部（２４）内にそれぞれ収容される、断面Ｃ字形のブレーキ体（２６）と、ブレーキ体（２６）を保持する押え枠（２７）と、押え枠（２７）とケース部（２４）との間に配置した板ばね（２８）と、押え枠（２７）を介してブレーキ体（２６）をガイド枠（２２）の溝底に押し付け操作するねじ（２９）とを備えている請求項１記載の揺動窓用の開量調整器。  
【発明の詳細な説明】
【０００１】
【発明の属する技術分野】
この発明は、揺動開閉自在な窓用の開量調整器に関する。
【０００２】
【従来の技術】
一端が窓枠に軸支された牽制アームで、窓を任意の開放位置においてロック保持する形態の開量調整器は、例えば実公昭５９−１０２９０号公報に公知である。そこでは、窓あるいは窓枠の少なくとも一方にスライダーを設けて、アームと窓の揺動軌跡の差をスライダーで吸収できるようにしている。
【０００３】
本出願人は、窓枠がプラスチックサッシュで形成された樹脂サッシ窓に適した開量調整器を先に提案している（特願平８−１８４１０６号）。そこでは、牽制アームの一端に設けた半月形の係合板を、窓枠に固定のブラケットで揺動自在に軸支し、ブラケットと係合板とを係合ピンで連結して、牽制アームを所定の開放位置において開閉不能に固定する。係合ピンは、ばねで常に係合する向きに付勢してあり、ブラケットに設けたロック解除用のノブをばねに抗して押し込み操作すると、係合状態を解除できる。係合板には係合ピンを受け入れる数個のピン孔を設けてあり、１５度、３０度、６０度、９０度の各窓開放位置において牽制アームをロック保持できる。牽制アームの揺動先端には、スライダーに適度の開閉抵抗を与える制動機構が組み込んだものとなっていた。
【０００４】
【発明が解決しようとする課題】
上記のように、所定の角度ごとに牽制アームをロック保持できるようにした開量調整器では、窓を所定量開放し、あるいは所定の開放位置から閉じ操作するごとに、ロック解除用のノブを押し込み操作し、あるいはノブを押し込んだ状態に維持して窓を開閉揺動させる必要があり、開閉操作が煩わしい。
【０００５】
開量調整器は窓と窓枠との間の小さな隙間に収められている。そのため、ロック解除用のノブの出退ストロークを十分に大きくすることが難しく、誤ってノブに接触したような場合に、係合ピンが簡単にロック解除操作されるおそれがある。手探り状態でノブを操作するときに、ノブの状態を把握し難い不利もある。
【０００６】
この発明の目的は、窓を所定の換気開放位置においてのみ開閉不能にロック保持でき、従って換気開放位置以外ではロック解除操作を行う必要もなく、窓の開閉が容易に行える揺動窓用の開量調整器を提供することにある。この発明の他の目的は、使用者の明確な意図がない限りはロック状態を解除できず、使用者の思い違いや操作ミスによるロック解除状態への切り換わりを解消することにある。この発明の更に他の目的は、開量調整器のスライダーに窓の開閉動作を規制する制動装置を付加し、以て窓がごく僅かな風圧を受けて急開閉し、外壁や開口枠と衝突するのを防止することにある。
【０００７】
【課題を解決するための手段】
この発明の開量調整器は、窓枠１に固定した上下一対のヒンジ３で揺動開閉自在に支持した窓２を換気開放位置において回動不能にロック保持する。開量調整器は、窓２の窓下枠と窓枠１との間に配置されて、窓枠１に固定されるケース４と、窓２の窓下枠に埋設固定したガイド枠２２で往復スライド自在に支持されて、窓２と牽制アーム６の揺動軌跡のずれを吸収するスライダー５とを備えている。スライダー５のケース部２４に、ガイド枠２２の溝底との摩擦抵抗でスライダー５のスライド動作を規制する制動ユニット２５を設ける。牽制アーム６の基端側はケース４に設けた軸１３で揺動自在に軸支され、牽制アーム６の揺動先端はスライダー５に相対揺動自在に連結される。ケース４で左右スライド自在に案内支持されて、牽制アーム６を換気開放位置においてロック保持するロック体７と、ロック体７を牽制アーム６とロック係合する向きにスライド付勢するばね８と、一端がロック体７に固定され、他端の操作つまみ１９が窓下枠より室内側に露出するロック解除操作用のノブ９とを備えている。牽制アーム６の基端にアーム中心軸に対して所定角度だけ傾くロック突起２０を突設し、ロック体７の側端にロック突起２０と嵌係合して牽制アーム６の回動を阻止するロック凹部１６を切り欠き形成する。以て、窓２を換気開放位置でのみ開閉不能にロック保持できるようにする。
【０００８】
具体的には、制動ユニット２５は、スライダー５に設けたケース部２４内にそれぞれ収容される、断面Ｃ字形のブレーキ体２６と、ブレーキ体２６を保持する押え枠２７と、押え枠２７とケース部２４との間に配置した板ばね２８と、押え枠２７を介してブレーキ体２６をガイド枠２２の溝底に押し付け操作するねじ２９とを備えている。
【０００９】
【作用】
牽制アーム６のロック突起２０とロック体７のロック凹部１６とを係合させて牽制アーム６の揺動を阻止し、窓２を換気開放位置でのみ開閉不能にロック保持するので、換気開放位置を通り越して窓２の開閉を行うときに限って、ロック解除用のノブ９を操作すればよく、その分だけノブ９の操作機会を減らして窓２の開閉を容易化できる。ケース４内にロック体７を左右スライド自在に案内支持してあるので、開量調整器が窓２と窓枠１との間の小さな隙間に配置してあるにもかかわらず、ロック体７の係脱ストロークを必要に応じて十分に確保できる。従って、単に誤ってノブ９に接触した程度でロック体７がロック解除操作されるのを防止でき、使用者の明確な意図がない限りはロック状態を維持できる。
【００１０】
ロック突起２０とロック凹部１６とは、換気開放位置において互いに嵌係合できる限り、ロック体７と牽制アーム６とのいずれの側にあってもよい。しかし、窓枠１側に設けられるロック体７は、牽制アーム６に比べて寸法上の制約が少なく、その幅寸法等をより大きく設定して、ロック係合力を十分に確保できる。従って、ロック凹部１６をロック体７の側に設けると、より効果的に窓２のロック保持力を向上できる。
【００１１】
スライダー５に制動ユニット２５を付加しておくと、ガイド枠２２の溝底に圧接するブレーキ体２６の摩擦抵抗によって、スライダー５がガイド枠２２に沿って自由にスライド変位するのを規制できる。この規制力は、僅かな風圧が窓２に作用した程度では、窓２の開閉揺動を阻止できるように設定されており、どの開閉位置においても常に一定値を維持する。従って、窓２の急開閉を良く防止する。
【００１２】
【実施例】
図２および図３において符号１は窓枠、２はプラスチック製のサッシュで形成した窓である。窓２は窓枠１に固定した上下一対のヒンジ３で揺動開閉自在に支持してある。窓２を閉じた状態においては、図外の錠で窓２を閉じ位置に固定保持できる。
【００１３】
窓２を換気開放位置において開閉不能にロック保持するために、窓２の窓下枠と、窓枠１の下枠との間に本発明の開量調整器が設けられている。その開量調整器は、図２に示すごとく窓枠１側にビスで固定されるケース４と、窓２の下窓枠に設けたスライダー５とを連結する牽制アーム６と、牽制アーム６を換気開放位置においてロック保持するロック体７と、ロック体７をロック係合する向きにスライド付勢するばね８（図１参照）と、ロック体７をロック解除操作するノブ９などで構成する。
【００１４】
図４においてケース４は上向きに開口する浅い角箱状のケース本体１１と、ケース本体１１の上面開口を上方から塞ぐカバー１２とからなる。ケース本体１１の四周辺部にはそれぞれ周側壁を上向きに折り起こしてある。但し、屋外側に面する周側壁と図に向かって右方の周側壁とは、ケース本体１１の右外隅が開放されるよう、折り起こし部分を一部に限っている。この開放部分に帯板状の牽制アーム６の一端を配置し、ケース本体１１にかしめ固定した軸１３で牽制アーム６の基端を水平揺動自在に軸支する。ケース本体１１の屋内側に面する周側壁の上縁には、ノブ９を受け入れる切欠１４が設けてある。カバー１２はケース本体１１に上面から被せ付けることにより、ケース本体１１の上面開口を塞ぐ。カバー１２の左右側端および屋外側縁には、それぞれ下向きの周側壁が設けてあり、これらの周側壁をビス１５でケース本体１１に締結して、ケース本体１１と一体化してある（図１参照）。
【００１５】
ロック体７は上下に重さねてビスで締結固定される四角形状の２枚のステンレス板材からなり、その板面の右側縁にロック凹部１６をＵ字状に切り欠き形成し、板面の左側縁にばね８用の受溝１７を形成する。ロック体７はケース本体１１内に収容されて、ケース本体１１の前後の周側壁で左右スライドのみ自在に支持される。ばね８は圧縮コイルばねからなり、その一端を受溝１７の内奥端で受け止め、他端をケース本体１１にねじ込んだビス１８の内奥端で受け止める（図１参照）。
【００１６】
ノブ９は、図５に示すごとく上下端が互いに前後逆向きに折り曲げられたばね板と、ばね板の上端に締結固定したプラスチック製の操作つまみ１９とからなり、ばね板の下端の締結壁９ａをロック体７にビス止めする。この締結壁９ａを受け入れるために、図４に示すごとくロック体７の上面側の右内隅に四角形状の切欠が設けられている。ノブ９の殆どはケース本体１１の室内側のケース外面に露出しており、締結壁９ａのみが切欠１４を介してケース本体１１内に入り込んでいる。ノブ９は、窓２を閉じた状態において、その窓下枠よりも屋内側に露出する。
【００１７】
ロック体７に隣接する牽制アーム６の基端に、ロック凹部１６に係合保持されるロック突起２０を設ける。ロック突起２０は牽制アーム６のアーム中心軸に対して所定角度だけ傾く状態で突設してあり、窓２が閉じ位置から前記角度だけ開き揺動したとき、ロック突起２０がロック凹部１６と係合する。因に、上記の角度は牽制アーム６の揺動角度であって、窓２の閉じ位置からの開き角度は約１５度前後でしかない。換気開放位置以外の窓開閉状態においては、ロック体７の側端面にロック突起２０の周側面が接当して、ロック体７をばね８の付勢力に抗して受け止めている（図１参照）。
【００１８】
上記のように、１個の牽制アーム６で窓２の開閉動作を牽制する場合には、両者２・６の揺動軌跡にずれが生じる。この軌跡のずれを吸収するために、窓２の窓下枠にガイド枠２２を埋設固定し、ガイド枠２２でスライダー５を長手方向に往復スライド自在に案内支持している。ガイド枠２２は、図７に示すごとく断面Ｃ字形のアルミニウム条材からなり、その開口縁の前後にフランジ壁が張り出し形成されている。
【００１９】
図６および図７においてスライダー５は、ガイド枠２２に装填される断面逆凸字状のプラスチック成形品からなる。スライダー５の一側下面に牽制アーム６の揺動先端を当てがって、ピン２３で相対揺動自在に連結する。この連結部分に隣接して、ガイド枠２２の溝底へ向かって開口するケース部２４をスライダー５に一体に設け、このケース部２４の内部に制動ユニット２５を組む。
【００２０】
図７において制動ユニット２５は、断面Ｃ字形のプラスチック成形品からなるブレーキ体２６と、ブレーキ体２６に内嵌してこれを保持する断面逆Ｔ字形の押え枠２７と、押え枠２７とケース部２４の内奥壁との間に配置した板ばね２８と、ケース部２４の下面側から板ばね２８の中央のねじボスにねじ込まれるねじ２９とで構成する。押え枠２７は銅合金製の条材で形成する。
【００２１】
ねじ２９をねじ込んで、ブレーキ体２６を押え枠２７を介して押圧変形させると、ブレーキ体２６の周壁がガイド枠２２の溝底に強く押し付けられて、摩擦抵抗を生じる。この摩擦抵抗によって、スライダー５の自由移動を阻止し、窓２の開閉時に適度の操作抵抗を与えることができる。なお、ガイド枠２２のヒンジ３側の端には、スライダー５を受け止めて窓２が閉じ位置から９０度以上開くのを阻止するストッパー３０が設けてある（図２参照）。
【００２２】
以上のように構成した開量調整器によれば、閉じ位置から窓２を開き操作するだけで、ロック体７が牽制アーム６にロック係合し、窓２を換気開放位置にロック保持できる。窓２をさらに開放し、あるいは閉じ位置へ戻す場合には、操作つまみ１９をばね８の付勢力に逆らって左方スライド操作し、ロック体７と牽制アーム６との係合状態を解除すればよい。スライダー５に設けた制動ユニット２５は常に一定の摩擦抵抗を生じて、窓２の自由揺動を阻止する。従って、窓を開放するとき、勢い余って上半身が窓外へ突き出る等の操作ミスを解消できる。僅かな風を受けた窓２が、急開閉して外壁や窓枠１に衝突することも防止できる。
【００２３】
ロック体７は分厚い１個の金属ブロックやプラスチックブロックで形成できる。  
【００２４】
【発明の効果】
この発明の開量調整器は、窓２を換気開放位置に限って開閉不能にロック保持できるようにした。従って、換気開放位置を通り越えて窓２を開閉する場合以外には、ノブ９を操作する必要もなく窓２を容易に開閉できる。ロック体７が窓枠１に沿って左右スライドすることで、ロック状態とロック解除状態とに切り換わるので、ロック体７のスライドストロークを必要に応じて十分に確保できる。従って、単に誤ってノブ９と接触したような場合に、ロック体７がロック解除操作されるのを防止し、使用者の明確な意思がない限りはロック状態を維持して、不意のロック解除状態への切り換わりによって転落する等の事故を防止できる。
【００２５】
スライダー５に制動ユニット２５を備えているので、換気開放位置以外の窓開放状態において、窓２に一定の開閉抵抗を与えて自由に開閉するのを防止でき、僅かな風を受けて窓２が急開閉し、外壁や窓枠１と衝突することをよく防止できる。
【図面の簡単な説明】
【図１】開量調整器要部の内部平面図である。
【図２】開量調整器の全体平面図である。
【図３】開量調整器の一部破断正面図である。
【図４】ロック構造部分の分解斜視図である。
【図５】図３におけるＡ−Ａ線断面図である。
【図６】スライダーの縦断正面図である。
【図７】図６におけるＢ−Ｂ線断面図である。
【符号の説明】
１  窓枠
２  窓
４  ケース
５  スライダー
６  牽制アーム
７  ロック体
８  ばね
９  ノブ
１３  軸
１６  ロック凹部
２０  ロック突起
２２  ガイド枠
【図１】
0004017722.tif 000002
【図２】
0004017722.tif 000003
【図３】
0004017722.tif 000004
【図４】
0004017722.tif 000005
【図５】
0004017722.tif 000006
【図６】
0004017722.tif 000007
【図７】
0004017722.tif 000008